(57)【特許請求の範囲】
【請求項１】
利用者を被写体として撮影し、得られた画像に対して利用者に編集入力を行わせ、前記画像を所定のシール紙に印刷して写真シールを作成し、成果物として前記写真シールを前記利用者に提供する写真シール作成装置であって、
編集入力を行わせるためのＧＵＩ（Graphical User Interface）が表示される編集画面の表示を制御する編集画面表示制御手段と、
前記編集画面に対する前記利用者の操作入力を受け付ける入力受付手段と、
前記画像に対して合成するのに用いられる合成用画像の複数の分類に従って、前記合成用画像を選択するためのＧＵＩを表示する領域である合成用画像表示領域の表示を制御する表示領域制御手段と
を備え、
前記表示領域制御手段により、第１の分類では異なる種別となる前記合成用画像のＧＵＩが、第２の分類に従って前記合成用画像のＧＵＩが一覧で前記合成用画像表示領域に表示されている場合に、
前記入力受付手段が、前記第１の分類に従って前記合成用画像を一覧で表示させるためのＧＵＩに対する操作入力を受け付けると、
前記表示領域制御手段は、前記合成用画像の第２の分類では異なる種別となる前記各合成用画像から前記第１の分類では同一の種別に属する前記合成用画像を集約し、集約した前記合成用画像のＧＵＩを前記合成用画像表示領域に一覧で表示する
写真シール作成装置。
【請求項２】
前記入力受付手段は、前記第１の分類に従って前記合成用画像を一覧で表示させるためのＧＵＩに対する操作入力を受け付けた後、前記第１の分類による複数の種別の中から一覧で表示する所定の種別の選択をさらに受け付け、
前記表示領域制御手段は、前記入力受付手段が受け付けた選択に従った前記所定の種別に属する合成用画像のＧＵＩを一覧で表示する
請求項１に記載の写真シール作成装置。
【請求項３】
前記表示領域制御手段は、前記第１の分類に従って前記合成用画像を一覧で表示させるためのＧＵＩに対する操作入力が受け付けられたときに選択されていた前記合成用画像の第３の分類による種別に属する前記合成用画像のＧＵＩを一覧で表示する
請求項１または２に記載の写真シール作成装置。
【請求項４】
前記第１の分類は、前記合成用画像の形状に基づく分類であり、前記第２の分類は、前記合成用画像の種類に基づく分類であり、前記第３の分類は、前記合成用画像の機能に基づく分類である
請求項３に記載の写真シール作成装置。
【請求項５】
前記表示領域制御手段は、前記第１の分類による種別を切り替えるためのＧＵＩを表示し、前記第１の分類による種別を切り替えるためのＧＵＩに対する操作入力に従って、前記合成用画像表示領域の表示を切り替える
請求項１乃至４のいずれかに記載の写真シール作成装置。
【請求項６】
前記入力受付手段は、一覧で表示する前記合成用画像の前記第１の分類による種別の選択を受け付けるとともに、一覧で表示する前記合成用画像の第３の分類による種別の選択を受け付ける
請求項１または２に記載の写真シール作成装置。
【請求項７】
前記表示領域制御手段は、前記合成用画像表示領域内で前記合成用画像の第３の分類に従った前記合成用画像ごとに区分けして、前記第１の分類による複数の種別のうちの所定の種別に属する前記合成用画像のＧＵＩを一覧で表示する
請求項１または２に記載の写真シール作成装置。
【請求項８】
前記表示領域制御手段は、前記合成用画像表示領域よりも大面積で表示される合成用画像集約画面を、前記編集画面に対してポップアップ表示し、前記合成用画像集約画面に前記合成用画像のＧＵＩを一覧で表示する
請求項１に記載の写真シール作成装置。
【請求項９】
前記表示領域制御手段は、一覧で表示する前記合成用画像の第３の分類による種別を切り替えるためのＧＵＩを前記合成用画像集約画面に表示し、前記第３の分類による種別を切り替えるためのＧＵＩに対する操作入力に従って、前記合成用画像表示領域の表示を切り替える
請求項８に記載の写真シール作成装置。
【請求項１０】
利用者を被写体として撮影し、得られた画像に対して利用者に編集入力を行わせ、前記画像を所定のシール紙に印刷して写真シールを作成し、成果物として前記写真シールを前記利用者に提供する写真シール作成装置の写真シール作成方法であって、
前記利用者に編集入力を行わせるためのＧＵＩが表示される編集画面の表示を制御し、
前記編集画面に対する前記利用者の操作入力を受け付け、
前記画像に対して合成するのに用いられる合成用画像の複数の分類に従って、前記合成用画像を選択するためのＧＵＩを表示する領域である合成用画像表示領域の表示を制御し、
第１の分類では異なる種別となる前記合成用画像のＧＵＩが、第２の分類に従って前記合成用画像のＧＵＩが一覧で前記合成用画像表示領域に表示されている場合に、
前記第１の分類に従って前記合成用画像を一覧で表示させるためのＧＵＩに対する操作入力を受け付けると、
前記合成用画像の第２の分類では異なる種別となる前記各合成用画像から前記第１の分類では同一の種別に属する前記合成用画像を集約し、集約した前記合成用画像のＧＵＩを前記合成用画像表示領域に一覧で表示する
ステップを含む写真シール作成方法。
【請求項１１】
利用者を被写体として撮影し、得られた画像に対して利用者に編集入力を行わせ、前記画像を所定のシール紙に印刷して写真シールを作成し、成果物として前記写真シールを前記利用者に提供する写真シール作成装置のコンピュータに実行させるプログラムにおいて、
前記利用者に編集入力を行わせるためのＧＵＩが表示される編集画面の表示を制御し、
前記編集画面に対する前記利用者の操作入力を受け付け、
前記画像に対して合成するのに用いられる合成用画像の複数の分類に従って、前記合成用画像を選択するためのＧＵＩを表示する領域である合成用画像表示領域の表示を制御し、
第１の分類では異なる種別となる前記合成用画像のＧＵＩが、第２の分類に従って前記合成用画像のＧＵＩが一覧で前記合成用画像表示領域に表示されている場合に、
前記第１の分類に従って前記合成用画像を一覧で表示させるためのＧＵＩに対する操作入力を受け付けると、
前記合成用画像の第２の分類では異なる種別となる前記各合成用画像から前記第１の分類では同一の種別に属する前記合成用画像を集約し、集約した前記合成用画像のＧＵＩを前記合成用画像表示領域に一覧で表示する
ステップを含む処理をコンピュータに実行させるプログラム。
【発明の詳細な説明】
【技術分野】
【０００１】
本発明は、写真シール作成装置および写真シール作成方法、並びにプログラムに関し、特に、制限時間内で利用者が満足する編集を行うことができるようにした写真シール作成装置および写真シール作成方法、並びにプログラムに関する。
【背景技術】
【０００２】
従来、利用者を撮影し、撮影画像に対して利用者に編集を行わせ、編集後の画像をシール紙に印刷して提供する写真シール作成装置が知られている。このような写真シール作成装置は娯楽（遊戯）施設等に設置される。
【０００３】
写真シール作成装置によって提供される１ゲームの流れは、通常、撮影空間内にいる利用者を被写体として撮影し、利用者を編集空間に移動させ、編集空間内で行われる操作に従って画像を編集し、編集後の画像である編集画像をシール紙に印刷して排出するという流れになる。
【０００４】
このような写真シール作成装置では、例えば、編集の対象となる画像に対して合成するのに用いられる合成用画像（以下、編集コンテンツと称する）の分類として、編集機能に応じた分類である編集ツールを大分類とし、編集コンテンツのテイストや雰囲気などに応じた分類である種類を中分類として、大分類および中分類の分類に応じた小分類として編集コンテンツを表示して、利用者が編集コンテンツを選択して編集を行うことができる。例えば、大分類が撮影画像に合成する画像であるスタンプである場合に、中分類（タブ）が、スタンプの種類（例えば、ハート形状や星形状などの図形を描くテイストや、おしゃれな雰囲気などの種類）に区分けされている写真シール作成装置がある。
【０００５】
また、例えば、特許文献１には、大分類として編集ツール（例えば、スタンプやペンなど）ごとに区分けし、その大分類ごとに中分類として、その種類（例えば、マーカーペンや柄ペンなど）ごとに区分けし、その中分類ごとに、小分類として様々な種類の編集コンテンツ（例えば、白マーカーペンや、黒マーカーペン、水玉柄ペン、ボーダー柄ペンなど）を備えた写真シール作成装置が開示されている。この写真シール作成装置では、操作指示ボタン（例えば、ペン一覧メニュー）によって、ペンツールのペン種類が全て一覧で表示される。
【先行技術文献】
【特許文献】
【０００６】
【特許文献１】特開２００９−１３４０３６号公報
【発明の概要】
【発明が解決しようとする課題】
【０００７】
しかしながら、上述したような写真シール作成装置では、編集コンテンツの形状に基づいた分類であるカテゴリ（類似する形状でまとめられた分類）が統一された編集用合成用画像を合成する編集ツールを使用して編集したい利用者にとって、制限時間内で満足する編集を行うことが難しかった。
【０００８】
つまり、従来の写真シール作成装置では、大分類で「スタンプ」を合成する編集ツールを選択している場合に、中分類としてスタンプの種類ごとに区分けされているので、カテゴリを統一してスタンプを利用したい場合には、中分類で所望のカテゴリの編集コンテンツを選択すれば容易に使用することはできる。しかしながら、例えば、選択している編集ツールであるスタンプ以外の機能が異なる編集ツールに分類される同一カテゴリの編集コンテンツを使用したい場合には、大分類で編集ツールを選択し直した後、中分類を選択して、選択した中分類のコンテンツパレットから同一カテゴリの編集コンテンツを探さなければならなかった。
【０００９】
そのため、操作が面倒で、所望の編集コンテンツを探すのに時間がかかってしまい、制限時間内にカテゴリで統一感のある編集をすることは困難であった。さらに、機能が異なる複数の編集ツールを使用する場合には、編集ツールを変更するたびにこの操作を繰り返すので、より操作が面倒で、所望の編集コンテンツを探すのに時間がかかり、制限時間内に同一カテゴリで統一感のある編集をすることが難しかった。
【００１０】
また、特許文献１に開示されている写真シール作成装置においても、中分類としてペン種類ごとに区分けされ、その中分類ごとに様々なペン種類が備わっているので、ペン種類を一覧表示することで、利用者が希望するペンを容易に探し出すことができるが、同一カテゴリの編集ツールを用いた編集を希望する利用者の場合には、大分類で編集ツールを選択後、中分類を選択し、選択した中分類のコンテンツパレット上から同一カテゴリの編集コンテンツを探すので、操作が面倒で探す時間がかかり、制限時間内に同一カテゴリで統一感のある編集をすることが難しかった。さらに、機能が異なる複数の編集ツールを使用する場合には、編集ツールを選択するたびに、この操作を繰り返すので、より操作が面倒で、所望の編集コンテンツを探すのに時間がかかり、制限時間内に同一カテゴリで統一感のある編集をすることが困難であった。
【００１１】
本発明は、このような状況に鑑みてなされたものであり、制限時間内で利用者が満足する編集を行うことができるようにするものである。
【課題を解決するための手段】
【００１２】
本発明の一側面の写真シール作成装置は、利用者を被写体として撮影し、得られた画像に対して利用者に編集入力を行わせ、前記画像を所定のシール紙に印刷して写真シールを作成し、成果物として前記写真シールを前記利用者に提供する写真シール作成装置であって、前記利用者に編集入力を行わせるためのＧＵＩ（Graphical User Interface）が表示される編集画面の表示を制御する編集画面表示制御手段と、前記編集画面に対する前記利用者の操作入力を受け付ける入力受付手段と、前記画像に対して合成するのに用いられる合成用画像の複数の分類に従って、前記合成用画像を選択するためのＧＵＩを表示する領域である合成用画像表示領域の表示を制御する表示領域制御手段とを備え、前記表示領域制御手段により、第１の分類では異なる種別となる前記合成用画像のＧＵＩが、第２の分類に従って前記合成用画像のＧＵＩが一覧で前記合成用画像表示領域に表示されている場合に、前記入力受付手段が、前記第１の分類に従って前記合成用画像を一覧で表示させるためのＧＵＩに対する操作入力を受け付けると、前記表示領域制御手段は、前記合成用画像の第２の分類では異なる種別となる前記各合成用画像から前記第１の分類では同一の種別に属する前記合成用画像を集約し、集約した前記合成用画像のＧＵＩを前記合成用画像表示領域に一覧で表示する。
【００１３】
本発明の一側面の写真シール作成方法またはプログラムは、利用者を被写体として撮影し、得られた画像に対して利用者に編集入力を行わせ、前記画像を所定のシール紙に印刷して写真シールを作成し、成果物として前記写真シールを前記利用者に提供する写真シール作成装置の写真シール作成方法、または、その写真シール作成装置のコンピュータに実行させるプログラムであって、前記利用者に編集入力を行わせるためのＧＵＩが表示される編集画面の表示を制御し、前記編集画面に対する前記利用者の操作入力を受け付け、前記画像に対して合成するのに用いられる合成用画像の複数の分類に従って、前記合成用画像を選択するためのＧＵＩを表示する領域である合成用画像表示領域の表示を制御し、第１の分類では異なる種別となる前記合成用画像のＧＵＩが、第２の分類に従って前記合成用画像のＧＵＩが一覧で前記合成用画像表示領域に表示されている場合に、前記第１の分類に従って前記合成用画像を一覧で表示させるためのＧＵＩに対する操作入力を受け付けると、前記合成用画像の第２の分類では異なる種別となる前記各合成用画像から前記第１の分類では同一の種別に属する前記合成用画像を集約し、集約した前記合成用画像のＧＵＩを前記合成用画像表示領域に一覧で表示するステップを含む。
【００１４】
本発明の一側面においては、第１の分類では異なる種別となる合成用画像のＧＵＩが、第２の分類に従って合成用画像のＧＵＩが一覧で合成用画像表示領域に表示されている場合に、第１の分類に従って合成用画像を一覧で表示させるためのＧＵＩに対する操作入力を受け付けると、合成用画像の第２の分類では異なる種別となる各合成用画像から第１の分類では同一の種別に属する合成用画像が集約され、集約された合成用画像のＧＵＩが合成用画像表示領域に一覧で表示される。
【発明の効果】
【００１５】
本発明の一側面によれば、制限時間内で利用者が満足する編集を行うことができる。
【図面の簡単な説明】
【００１６】
【図１】写真シール作成装置の外観の構成例を示す斜視図である。
【図２】写真シール作成装置の外観を他の角度からみた斜視図である。
【図３】利用者の移動について説明する図である。
【図４】撮影部の構成例を示す図である。
【図５】背景部の構成例を示す図である。
【図６】編集部の構成例を示す図である。
【図７】事後接客部の構成例を示す図である。
【図８】写真シール作成装置の内部の構成例を示すブロック図である。
【図９】制御部の詳細な構成例を示す機能ブロック図である。
【図１０】編集処理部のさらに詳細な構成例を示す機能ブロック図である。
【図１１】写真シール作成ゲームを提供する処理について説明するフローチャートである。
【図１２】編集処理において表示される編集画面の例を示す図である。
【図１３】編集コンテンツ表示部を拡大して表示する図である。
【図１４】カテゴリ選択画面の例を示す図である。
【図１５】カテゴリの選択に応じたコンテンツパレットの第１の表示例を示す図である。
【図１６】編集処理および印刷前設定処理の流れの例を説明するフローチャートである。
【図１７】コンテンツパレットの第２の表示例を示す図である。
【図１８】カテゴリ選択画面の変形例を示す図である。
【図１９】コンテンツパレットの第３の表示例を示す図である。
【図２０】コンテンツパレットの変形例を示す図である。
【図２１】編集コンテンツ集約画面の表示例を示す図である。
【図２２】コンテンツパレットの第４の表示例を示す図である。
【図２３】編集コンテンツ集約画面の変形例を示す図である。
【発明を実施するための形態】
【００１７】
以下、本発明を適用した具体的な実施の形態について、図面を参照しながら詳細に説明する。
【００１８】
［写真シール作成装置の外観構成］
図１は、本発明の一実施形態に係る写真シール作成装置１の外観の構成例を示す斜視図である。
【００１９】
写真シール作成装置１は、撮影や編集等の作業を利用者にゲームとして行わせ、撮影画像や編集済み画像を提供する代わりに利用者より代金を受け取るゲーム機である。写真シール作成装置１はゲームセンタなどの店舗に設置される。利用者は１人であることもあるし、複数人であることもある。
【００２０】
写真シール作成装置１が提供するゲームで遊ぶ利用者は、代金を投入し、自身が被写体となって撮影を行い、撮影によって得られた撮影画像の中から選択した編集対象の画像に対して、手書きの線画やスタンプ画像を合成する編集ツールを用いて編集を行うことにより、撮影画像を彩り豊かな画像にする。利用者は、編集済みの画像が印刷されたシール紙を受け取って一連のゲームを終了させることになる。
【００２１】
図１に示すように、写真シール作成装置１は、主に、撮影ユニット１１、編集部１２、および事後接客部１３から構成される。撮影ユニット１１と編集部１２が接した状態で設置され、編集部１２と事後接客部１３が接した状態で設置される。
【００２２】
撮影ユニット１１は、撮影部２１と背景部２２から構成される。撮影部２１と背景部２２は所定の距離だけ離れて設置され、撮影部２１と背景部２２の間に形成される空間である撮影空間において撮影処理が行われる。
【００２３】
撮影部２１は撮影処理を利用者に行わせる装置である。撮影部２１は、撮影空間に入り、撮影処理を行っている利用者の正面に位置する。撮影空間を正面に望む面を構成する撮影部２１の正面パネル４１には、撮影処理時に利用者により用いられるタッチパネルモニタなどが設けられる。撮影空間にいる利用者から見て左側の面を左側面、右側の面を右側面とすると、撮影部２１の左側面が側面パネル４２Ａにより構成され、右側面が側面パネル４２Ｂにより構成される。
【００２４】
背景部２２は、正面を向いて撮影処理を行っている利用者の背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図２）から構成される。
【００２５】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００２６】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口が撮影空間の出入り口Ｇ２となる。
【００２７】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えば利用者により選択された色のカーテンを下ろし、その他のカーテンを巻き取る。
【００２８】
なお、背景カーテンユニット２５に収納される背景カーテンとして、例えば、複数枚のカーテンを１枚のクロマキ用のカーテンとして使用する昇降式カーテンを用意してもよい。また、クロマキ用のカーテンを予め撮影空間の背面となる背面パネル５１に張り付けるとともに、合成用の背景画像を複数種類用意し、後述する編集処理において、利用者が所望する背景画像をカーテンの部分に合成することができるようにしてもよい。
【００２９】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００３０】
編集部１２は、撮影処理によって得られた画像を編集する処理である編集処理を利用者に行わせる装置である。編集部１２は、一方の側面が撮影部２１の正面パネル４１の背面に接するように撮影ユニット１１に連結して設けられる。編集部１２には、編集処理時に利用者により用いられるタブレット内蔵モニタなどの構成が設けられる。
【００３１】
図１に示す編集部１２の構成を正面側の構成とすると、２組の利用者が同時に編集処理を行うことができるように、編集部１２の正面側と背面側には編集処理に用いられる構成がそれぞれ設けられる。
【００３２】
編集部１２の正面側は、床面に対して垂直な面であり、側面パネル４２Ａとほぼ平行な面である面７１と、面７１の上方に形成された斜面７２から構成され、編集処理に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図２）が設けられる。
【００３３】
カーテンレール２６は、上から見たときの形状がコの字状に形成され、編集部１２の上方に、編集部１２を囲うように設けられる。カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集処理を行う編集空間となる。
【００３４】
図２は、写真シール作成装置１を別の角度から見た斜視図である。
【００３５】
事後接客部１３は事後接客処理を利用者に行わせる装置である。事後接客処理には、撮影画像や編集済みの画像を携帯電話機などの携帯端末に送信する処理、ミニゲームを利用者に行わせる処理、アンケートに答えさせる処理などが含まれる。
【００３６】
図２に示すように、事後接客部１３は、所定の厚さを有する板状の筐体を有しており、その背面が編集部１２の左側面に接するように編集部１２に連結して設けられる。事後接客部１３の正面には、事後接客処理時に利用者により用いられるタブレット内蔵モニタや、撮影画像や編集済みの画像が印刷されたシール紙が排出される排出口などが設けられる。事後接客部１３の正面前方の空間が、シール紙への印刷が終わるのを待っている利用者が事後接客処理を行う事後接客空間となる。
【００３７】
ここで、写真シール作成ゲームの流れと、それに伴う利用者の移動について図３を参照して説明する。図３は、写真シール作成装置１を上から見た平面図である。
【００３８】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影処理を行う。
【００３９】
撮影処理を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００４０】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動した利用者は編集処理を開始する。編集空間Ａ２−１の利用者と、編集空間Ａ２−２の利用者は同時に編集処理を行うことができる。
【００４１】
編集処理が終了した後、撮影画像や編集済みの画像の中から選択された画像の印刷が開始される。画像の印刷中、編集処理を終えた利用者は、編集空間Ａ２−１で編集処理を行っていた場合には白抜き矢印＃５で示すように編集空間Ａ２−１から事後接客空間Ａ３に移動して事後接客処理を行う。また、編集処理を終えた利用者は、編集空間Ａ２−２で編集処理を行っていた場合には白抜き矢印＃６で示すように編集空間Ａ２−２から事後接客空間Ａ３に移動し、事後接客空間Ａ３において事後接客処理を行う。
【００４２】
画像の印刷が終了したとき、利用者は、事後接客部１３に設けられた排出口からシール紙を受け取り、一連の写真シール作成ゲームを終えることになる。
【００４３】
［各装置の構成］
次に、各装置の構成について説明する。
【００４４】
図４は、撮影部２１の正面の構成例を示す図である。撮影部２１は、正面パネル４１、側面パネル４２Ａ、および側面パネル４２Ｂが、箱状の形状を有するベース部４３に取り付けられることによって構成される。
【００４５】
正面パネル４１は撮影空間Ａ１で撮影処理を行う利用者の正面に位置し、側面パネル４２Ａと側面パネル４２Ｂは、それぞれ、撮影空間Ａ１で撮影処理を行う利用者の左側、右側に位置する。側面パネル４２Ａの上方には連結部２３Ａが固定され、側面パネル４２Ｂの上方には連結部２３Ｂが固定される。
【００４６】
正面パネル４１のほぼ中央には撮影・表示ユニット８１が設けられる。撮影・表示ユニット８１は、カメラ９１、正面ストロボ９２、およびタッチパネルモニタ９３から構成される。
【００４７】
カメラ９１は、CCD(Charge Coupled Device)などの撮像素子により構成され、撮影空間Ａ１にいる利用者を撮影する。カメラ９１により取り込まれた動画像は、タッチパネルモニタ９３にリアルタイムで表示される。利用者により撮影が指示されたときなどの所定のタイミングでカメラ９１により取り込まれた画像は撮影画像（静止画像）として保存される。
【００４８】
カメラ９１を囲むように発光面が設けられた正面ストロボ９２は、他のストロボと同様にカメラ９１による撮影に合わせて発光し、被写体としての利用者の顔付近を正面から照射する。
【００４９】
カメラ９１の下側に設けられたタッチパネルモニタ９３は、LCD(Liquid Crystal Display)などのモニタと、それに積層されたタッチパネルにより構成される。タッチパネルモニタ９３は、カメラ９１により取り込まれた動画像を表示するライブビューモニタとしての機能と、各種のGUI画像を表示し、利用者の選択操作をタッチパネルにより受け付ける機能とを備えている。タッチパネルモニタ９３には、適宜、背景等の画像が合成された後の動画像が表示される。
【００５０】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００５１】
上ストロボ８２は、利用者を上前方から照射する。左ストロボ８３は、利用者を左前方から照射し、右ストロボ８４は、利用者を右前方から照射する。下ストロボ８５は、利用者を下前方から照射する。
【００５２】
ベース部４３には利用者の足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量が調整されることによって、または、発光させる蛍光灯の数が調整されることによって、撮影空間Ａ１内の明るさが、利用者が行っている撮影処理の内容に応じて適宜調整される。
【００５３】
足元ストロボ８６の右側には、利用者がお金を投入する硬貨投入返却口８７が設けられる。
【００５４】
下ストロボ８５を挟んでベース部４３の上面の左右に形成されるスペース４３Ａおよび４３Ｂは、撮影処理を行う利用者が手荷物等を置くための荷物置き場として用いられる。正面パネル４１の例えば天井付近には、撮影処理の案内音声、BGM(Back Ground Music)、効果音等の音を出力するスピーカも設けられる。
【００５５】
図５は、背景部２２の撮影空間Ａ１側の構成例を示す図である。
【００５６】
上述したように、背面パネル５１の上方には背景カーテンユニット２５が設けられる。背景カーテンユニット２５のほぼ中央には、撮影空間Ａ１内で撮影処理を行っている利用者を後方中央から照射する背面中央ストロボ１０１が取り付けられる。
【００５７】
背面パネル５１の上方であって、出入り口Ｇ１側の位置には、撮影空間Ａ１内で撮影処理を行っている利用者を左後方から照射する背面左ストロボ１０２が取り付けられる。また、背面パネル５１の上方であって、出入り口Ｇ２側の位置には、撮影空間Ａ１内で撮影処理を行っている利用者を右後方から照射する背面右ストロボ１０３が取り付けられる。
【００５８】
図６は、編集部１２の正面側（編集空間Ａ２−１側）の構成例を示す図である。
【００５９】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００６０】
タブレット内蔵モニタ１３１は、タッチペン１３２Ａまたは１３２Ｂを用いて操作入力が可能なタブレットがLCDなどのモニタに重畳して設けられることによって構成される。タブレット内蔵モニタ１３１には、例えば、編集対象画像として選択された撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。
【００６１】
編集部１２の左側には事後接客部１３が設けられる。
【００６２】
図７は、事後接客部１３の正面側の構成例を示す図である。
【００６３】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがLCDなどのモニタに重畳して設けられることによって構成される。タブレット内蔵モニタ１６１には、ミニゲームなどの事後接客処理に用いられる画面が表示される。
【００６４】
タブレット内蔵モニタ１６１の下には非接触型ICリーダ／ライタ１６３が設けられ、非接触型ICリーダ／ライタ１６３の下にはシール紙排出口１６４が設けられる。シール紙排出口１６４の下にはスピーカ１６５が設けられる。
【００６５】
非接触型ICリーダ／ライタ１６３は、近接された非接触型ICと通信を行い、非接触型ICからのデータの読み出しや非接触型ICに対するデータの書き込みを行う。
【００６６】
シール紙排出口１６４には、編集空間Ａ２−１の利用者が編集処理を行うことによって作成した画像が印刷されたシール紙、または、編集空間Ａ２−２の利用者が編集処理を行うことによって作成した画像が印刷されたシール紙が排出される。編集部１２の内部にはプリンタが設けられており、画像の印刷がそのプリンタにより行われる。
【００６７】
スピーカ１６５は、事後接客処理の案内音声、BGM、効果音等の音を出力する。
【００６８】
［写真シール作成装置の内部構成］
次に、写真シール作成装置１の内部構成について説明する。図８は、写真シール作成装置１の内部の構成例を示すブロック図である。上述した構成と同じ構成には同じ符号を付してある。重複する説明については適宜省略する。
【００６９】
制御部２０１はCPU(Central Processing Unit)などよりなり、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９、事後接客部２１０、および印刷部２１１の各構成も接続される。
【００７０】
記憶部２０２は、ハードディスクやフラッシュメモリなどの不揮発性の記憶媒体からなり、制御部２０１から供給された各種の設定情報を記憶する。記憶部２０２に記憶されている情報は制御部２０１により適宜読み出される。
【００７１】
通信部２０３はインターネットなどのネットワークのインタフェースであり、制御部２０１による制御に従って外部の装置と通信を行う。
【００７２】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００７３】
ROM２０６には、制御部２０１において実行されるプログラムやデータが記憶されている。RAM２０７は、制御部２０１が処理するデータやプログラムを一時的に記憶する。
【００７４】
撮影部２０８は、撮影空間Ａ１における撮影処理を行う構成である硬貨処理部２２１、背景制御部２２２、照明制御部２２３、カメラ９１、タッチパネルモニタ９３、およびスピーカ２２４から構成される。
【００７５】
硬貨処理部２２１は、硬貨投入返却口８７に対する硬貨の投入を検出する。硬貨処理部２２１は、３００円などの所定の金額分の硬貨が投入されたことを検出した場合、そのことを表す起動信号を制御部２０１に出力する。
【００７６】
背景制御部２２２は、制御部２０１より供給される背景制御信号に従って背景カーテンユニット２５に収納されている背景カーテンの上げ下ろしを行う。背景カーテンの選択が利用者により手動で行われるようにしてもよい。
【００７７】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２，背面右ストロボ１０３が設けられる。各ストロボの内部には蛍光灯も設けられる。
【００７８】
また、照明制御部２２３は、各ストロボの内部に設けられる蛍光灯の発光量を調整することによって、または、発光させる蛍光灯の数を調整することによって、利用者が行っている撮影処理の段階に応じて撮影空間Ａ１内の明るさを調整する。
【００７９】
カメラ９１は、制御部２０１による制御に従って撮影を行い、撮影によって得られた画像を制御部２０１に出力する。
【００８０】
編集部２０９Ａは、編集空間Ａ２−１における編集処理を行う構成として編集部１２の正面側に設けられるタブレット内蔵モニタ１３１、タッチペン１３２Ａ，１３２Ｂ、およびスピーカ２３１から構成される。編集部２０９Ｂも編集部２０９Ａと同一の構成を有しており、編集空間Ａ２−２における編集処理を行う。
【００８１】
タブレット内蔵モニタ１３１は、制御部２０１による制御に従って編集画面を表示し、編集画面に対する利用者の操作を検出する。利用者の操作の内容を表す信号は制御部２０１に供給され、編集対象の撮影画像の編集が行われる。
【００８２】
事後接客部２１０は、事後接客空間Ａ３における事後接客処理を行う構成であるタブレット内蔵モニタ１６１、タッチペン１６２Ａ，１６２Ｂ、非接触型ICリーダ／ライタ１６３、およびスピーカ１６５から構成される。
【００８３】
印刷部２１１は、印刷処理を行う構成であるプリンタ２４１、およびシール紙ユニット２４２から構成される。プリンタ２４１は、撮影画像、または編集処理によって得られた編集済みの画像を、プリンタ２４１に装着されたシール紙ユニット２４２に収納されているシール紙に印刷し、シール紙排出口１６４に排出する。一点鎖線で囲んで示す事後接客部２１０と印刷部２１１が、事後接客空間Ａ３にいる利用者を相手とした処理を行う構成となる。
【００８４】
［制御部の構成］
次に、制御部２０１について説明する。図９は、制御部２０１がROM２０６などに格納されているプログラムを実行することにより実現される機能ブロックの構成例を示している。
【００８５】
制御部２０１は、利用者グループを撮影する等の写真シール作成ゲームの撮影作業の工程に関する処理を行う撮影処理部３０２、撮影画像に対する落書き編集等の写真シール作成ゲームの編集作業の工程に関する処理を行う編集処理部３０３、シール紙の印刷等の写真シール作成ゲームの印刷の工程に関する処理を行う印刷処理部３０４、および、編集作業を終了した利用者グループを接客する写真シール作成ゲームの事後接客の工程に関する処理を行う事後接客処理部３０５を有する。
【００８６】
つまり、制御部２０１は、写真シール作成ゲームの各工程に関する処理の制御を行う。
【００８７】
［編集処理部の構成］
図１０は、図９の編集処理部３０３のさらに詳細な構成例を示す機能ブロック図である。
【００８８】
図１０の編集処理部３０３は、写真シール作成ゲームの編集作業の工程において、撮影作業の工程で得られた撮影画像に対して、利用者が行う落書き編集に関する処理を行う。さらに、編集処理部３０３は、写真シール作成ゲームの印刷作業の工程が行われる前に、印刷に対して利用者が行う各種の設定に関する処理を行う。
【００８９】
編集処理部３０３は、進行制御部３１１、編集準備処理部３１２、合成用画像選択制御部３１３、合成画像処理部３１４、入力受付制御部３１５、編集画面表示制御部３１６、落書き編集処理部３１７、編集コンテンツ表示制御部３１８、および分割パターン選択制御部３１９から構成される。
【００９０】
進行制御部３１１は、編集処理および印刷前設定処理の工程の進行を制御する。
【００９１】
編集準備処理部３１２は、編集対象画像の選択等、編集の準備に関する処理を行う。
【００９２】
合成用画像選択制御部３１３は、背景や前景などからなる合成用画像をタブレット内蔵モニタ１３１に表示して、利用者により行われる合成用画像の選択に関する処理を行う。
【００９３】
合成画像処理部３１４は、編集対象画像に対する合成用画像の合成等、合成画像の生成に関する処理を行う。
【００９４】
入力受付制御部３１５は、タブレット内蔵モニタ１３１を制御し、タブレット内蔵モニタ１３１に表示される各種のGUIに対して利用者により行われる操作入力を受け付ける処理を行う。
【００９５】
編集画面表示制御部３１６は、タブレット内蔵モニタ１３１に表示される編集画面の表示や、その編集画面上における各種のGUIの表示に関する処理を行い、例えば、利用者に編集入力を行わせるためのＧＵＩが表示される編集画面の表示を制御する。
【００９６】
落書き編集処理部３１７は、利用者によるタッチペン１３２を用いた入力操作に応じて、編集対象画像に対する落書き編集に関する処理を行う。
【００９７】
編集コンテンツ表示制御部３１８は、編集画面に表示されるＧＵＩであって、ペン機能、スタンプ機能などに対応する各種の編集ツールが表示されたコンテンツパレットと称されるＧＵＩの表示を制御する機能ブロックとされる。例えば、編集コンテンツ表示制御部３１８は、編集入力に用いられる編集コンテンツの複数の分類（例えば、カテゴリによる第１の分類、種類による第２の分類、編集ツールによる第３の分類）に従って、編集コンテンツを選択するためのＧＵＩであるボタンの表示を制御する。
【００９８】
分割パターン選択制御部３１９は、シールレイアウトを決定する写真シールの分割パターンの選択に関する処理を行う。シールレイアウトは、写真シール作成ゲームの一連の処理において最終的に出力される写真シールにおける印刷画像（編集済み画像または合成画像など）の配置を示すものである。また、分割パターン選択制御部３１９は、利用者の選択に従って、シールレイアウトについての情報であるレイアウト情報を生成する。
【００９９】
［写真シール作成装置の動作］
次に、図１１のフローチャートを参照して、写真シール作成ゲームを提供する写真シール作成装置１の処理について説明する。
【０１００】
ステップＳ１において、写真シール作成装置１の制御部２０１は、所定の金額分の硬貨が投入されたか否かを硬貨処理部２２１から供給される信号に基づいて判定し、投入されたと判定するまで待機する。
【０１０１】
硬貨が投入されたとステップＳ１において判定した場合、ステップＳ２において、撮影処理部３０２は、撮影部２０８を制御し、カメラ９１に取り込まれた被写体の動画像をタッチパネルモニタ９３にライブビュー表示させ、撮影空間Ａ１にいる利用者を被写体として撮影する本撮影処理を行う。写真シール作成装置１による撮影処理は、ステップＳ２の本撮影処理とステップＳ３の被写体の画像処理からなる。
【０１０２】
ステップＳ３において、撮影処理部３０２は、被写体の画像処理を行う。被写体の画像処理により、本撮影処理によって得られた撮影画像に写る被写体の目のサイズの選択や、被写体の肌の色の明るさの調整などの各種の画像処理が行われる。
【０１０３】
ステップＳ４において、撮影処理部３０２は、撮影空間Ａ１にいる利用者に対して、編集空間Ａ２−１または編集空間Ａ２−２への移動を案内する。編集空間Ａ２−１または編集空間Ａ２−２への移動の案内は、撮影部２０８のタッチパネルモニタ９３に画面を表示させることによって、または音声をスピーカ２２４から出力させることによって行われる。
【０１０４】
ステップＳ５において、編集処理部３０３は、編集空間Ａ２−１と編集空間Ａ２−２のうち、撮影処理を終えた利用者の移動先とした方の編集空間に対応する編集部２０９を制御し、編集処理および印刷前設定処理を行う。編集処理および印刷前設定処理については図１６のフローチャートを参照して後述する。なお、ステップＳ５の処理は、撮影部２０８により、撮影空間Ａ１にいる利用者を対象として行われるようにしてもよい。
【０１０５】
ステップＳ６において、編集処理部３０３は、編集空間Ａ２−１または編集空間Ａ２−２で編集処理および印刷前設定処理を終えた利用者に対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【０１０６】
ステップＳ７において、印刷処理部３０４は、利用者により選択された画像をプリンタ２４１に出力してシール紙に印刷させる印刷処理を行う。
【０１０７】
ステップＳ８において、事後接客処理部３０５は、事後接客部２１０を制御し、印刷終了待機中の利用者に対する事後接客処理を行う。例えば、撮影画像や編集済みの画像を携帯端末に送信する処理を事後接客処理として行う場合、事後接客処理部３０５は、携帯端末の電子メールアドレスの入力画面や、送信する画像の選択画面をタブレット内蔵モニタ１６１に表示させ、利用者による操作に応じて画像を送信する。また、ミニゲームを利用者に行わせる処理を事後接客処理として行う場合、事後接客処理部３０５は、ミニゲームの画面をタブレット内蔵モニタ１６１に表示させる。アンケートに答えさせる処理を事後接客処理として行う場合、事後接客処理部３０５は、アンケート画面をタブレット内蔵モニタ１６１に表示させ、利用者による回答を取得する。
【０１０８】
印刷が終了すると、ステップＳ９において、事後接客処理部３０５は、印刷が終了した旨をタブレット内蔵モニタ１６１に表示させ、プリンタ２４１は、画像が印刷されたシール紙をシール紙排出口１６４に排出し、処理を終了させる。
【０１０９】
このように、写真シール作成装置１では、ステップＳ２およびＳ３の撮影処理において、利用者を被写体として撮影され、被写体の画像処理が施された撮影画像が取得され、ステップＳ５では、その撮影画像に対する編集処理が行われる。この編集処理中にタブレット内蔵モニタ１３１に表示される画面について、図１２乃至図１５を参照して説明する。
【０１１０】
図１２は、編集処理においてタブレット内蔵モニタ１３１に表示される編集画面の例が示されている。
【０１１１】
編集画面は、基本的に、同じ構成の画面が左右に対称に並べて配置されることによって構成される。例えば、タブレット内蔵モニタ１３１に対して左側に立っている利用者は、タッチペン１３２−Ａを用いて編集画面の左半分において編集を行い、右側に立っている利用者は、左側に立っている利用者による編集と並行して、タッチペン１３２−Ｂを用いて編集画面の右半分において編集を行うことになる。
【０１１２】
例えば、編集画面の左側の中央に配置されている編集対象画像表示部４１１Ｌには、編集処理において編集の対象となる画像（編集対象画像）が表示される。そして、左側に立っている利用者は、編集対象画像表示部４１１Ｌに表示されている編集対象画像に対して編集を行うことができる。
【０１１３】
また、編集画面の左側において、編集対象画像表示部４１１Ｌの上方に画像選択部４１２Ｌが表示され、編集対象画像表示部４１１Ｌの下方に編集コンテンツ表示部４１３Ｌが表示され、編集対象画像表示部４１１Ｌの右方にボタン表示部４１４Ｌが表示されている。
【０１１４】
画像選択部４１２Ｌには、撮影処理後に編集対象として選択する処理（例えば、後述する図１６のステップＳ３１の処理）において選択された６枚の撮影画像がそれぞれ縮小して表示される。利用者は、画像選択部４１２Ｌに表示された６枚の撮影画像の中から、編集対象画像を選択することができ、画像選択部４１２Ｌにおいて選択された撮影画像が、編集対象画像として編集対象画像表示部４１１Ｌに拡大して表示される。
【０１１５】
また、画像選択部４１２Ｌでは、編集対象として選択された撮影画像に対して、選択中であることを示す選択枠４１５が撮影画像を囲うように表示される。例えば、図１２の例では、画像選択部４１２Ｌに表示されている６枚の撮影画像のうち、左端の撮影画像に対して選択枠４１５Ｌ−１が表示され、右端の撮影画像に対して選択枠４１５Ｌ−２が表示されている。
【０１１６】
さらに、画像選択部４１２Ｌでは、選択枠４１５Ｌ−１で囲われた撮影画像に重ね合わせて、「落書き中」という文字と左側を指す三角形とが表示されており、この撮影画像が編集画面の左側において編集対象とされていることを示している。同様に、画像選択部４１２Ｌでは、選択枠４１５Ｌ−２で囲われた撮影画像に重ね合わせて、「落書き中」という文字と右側を指す三角形とが表示されており、この撮影画像が編集画面の右側において編集対象とされていることを示している。なお、編集画面の右側に表示される画像選択部４１２Ｒにおいても、画像選択部４１２Ｌと同様に、選択枠４１５Ｒ−１および４１５Ｒ−２が表示され、編集対象として選択された撮影画像であることを示す表示が行われる。
【０１１７】
このような表示により、編集画面では、例えば、編集画面の右側において編集対象とされている選択枠４１５Ｌ−２で囲われた撮影画像が左側において編集対象として選択できないことを表している。つまり、編集画面においては、左右の一方の画面で編集対象として選択されている撮影画像は、他方の画面で編集対象として選択不可となる。
【０１１８】
編集コンテンツ表示部４１３Ｌには、編集対象画像表示部４１１Ｌに表示される編集対象画像に対して編集入力を行うための各種の編集コンテンツが表示される。例えば、編集コンテンツ表示部４１３Ｌには、編集ツール選択ボタン表示部４１６Ｌおよびコンテンツパレット４１７Ｌが設けられており、編集ツール選択ボタン表示部４１６Ｌにおいて選択された編集ツール（編集機能）の分類に従った編集コンテンツがコンテンツパレット４１７Ｌに表示される。
【０１１９】
また、編集ツール選択ボタン表示部４１６Ｌに表示されている複数の選択ボタンのうちの、利用者により選択された選択ボタンに重なるように楕円形のマークが表示される。図１２の例では、編集ツール選択ボタン表示部４１６Ｌの「スタンプ」の文字が表示された選択ボタンが選択されていることを表しており、コンテンツパレット４１７Ｌには、「スタンプ」の編集ツールに分類される編集コンテンツが表示される。
【０１２０】
また、コンテンツパレット４１７Ｌには、編集コンテンツの種類（テイストや雰囲気など）に基づく分類に従って編集コンテンツの表示を切り替えるための複数のタブが設けられている。図１２の例では、コンテンツパレット４１７Ｌにおいて、「大人手書き」の文字が表示されたタブが選択された状態が示されており、コンテンツパレット４１７Ｌには、「大人手書き」の種類に分類される編集コンテンツが表示されている。同様に、編集コンテンツ表示部４１３Ｒのコンテンツパレット４１７Ｒでは、「シンプル」の文字が表示されたタブが選択された状態が示されており、コンテンツパレット４１７Ｒには、「シンプル」の種類に分類される編集コンテンツが表示されている。
【０１２１】
ボタン表示部４１４Ｌには、編集処理における編集で利用される各種のボタンが表示される。図１２の例において、ボタン表示部４１４Ｌには、撮影画像の編集を終了するときに操作される終了ボタン、編集対象画像表示部４１１Ｌに入力した画像を部分的に消去するときに用いられる消しゴムボタン、編集をはじめからやり直すときに操作されるボタン、１セット前に戻るときに操作されるボタン、編集の内容を一操作後の状態に進めるときに操作されるボタン、および、編集の内容を一操作前の状態に戻すときに操作されるボタンが表示されている。
【０１２２】
このように編集画面の左側には、編集対象画像表示部４１１Ｌ、画像選択部４１２Ｌ、編集コンテンツ表示部４１３Ｌ、およびボタン表示部４１４Ｌが表示されており、これらに対応して、編集画面の右側には、編集対象画像表示部４１１Ｒ、画像選択部４１２Ｒ、編集コンテンツ表示部４１３Ｒ、およびボタン表示部４１４Ｒが表示される。なお、編集画面の中央上方には、編集作業に割り当てられた制限時間の残り時間（図中のTime）、日付、およびBGMの選択に用いられるGUIが表示される。編集処理部３０３は、このような編集画面に対する編集操作を受け付け、撮影画像に対する編集を行う。
【０１２３】
さらに、編集画面の左側には、編集コンテンツ表示部４１３Ｌおよびボタン表示部４１４Ｌの間に、カテゴリ一覧ボタン４１８Ｌが表示されている。カテゴリ一覧ボタン４１８Ｌは、例えば、同一のカテゴリに属する編集コンテンツをコンテンツパレット４１７Ｌに一覧表示（例えば、後述する図１５参照）するときに操作される。
【０１２４】
同様に、編集画面の右側には、カテゴリ一覧ボタン４１８Ｌに対応するカテゴリ一覧ボタン４１８Ｒが、編集コンテンツ表示部４１３Ｒおよびボタン表示部４１４Ｒの間に表示されている。
【０１２５】
なお、編集画面では、同じ構成の画面が左右に対称に並べて配置されており、編集画面の左側の表示と、編集画面の右側の表示とを区別する必要がない場合、以下適宜、同一の符号を付して説明する。例えば、編集コンテンツ表示部４１３Ｌと編集コンテンツ表示部４１３Ｒとを区別する必要がない場合、編集コンテンツ表示部４１３として説明を行う。
【０１２６】
図１３には、図１２の編集コンテンツ表示部４１３Ｌが拡大して表示されている。
【０１２７】
編集コンテンツ表示部４１３の右側には、編集ツール選択ボタン表示部４１６が表示されており、編集コンテンツ表示部４１３の中央から左側には、コンテンツパレット４１７が表示されている。
【０１２８】
編集ツール選択ボタン表示部４１６には、５つの選択ボタン４２１−１乃至４２１−５が上から順に表示されており、利用者が選択ボタン４２１−１乃至４２１−５に対する操作を行うことで、それぞれに対応する編集ツール（編集機能）が選択される。
【０１２９】
選択ボタン４２１−１には、「おすすめ」という文字が表示されており、選択ボタン４２１−１により、撮影処理において選択された背景セットに対応したテイストの画像を編集対象画像に合成する編集ツールが選択される。例えば、おすすめの編集ツールには、被写体の背景または前景として所定の図形が散りばめられたヴェール画像を編集対象画像に合成する編集ツールであるヴェールや、所定の図形や文字などが四隅に配置されたフレーム画像を編集対象画像に合成する編集ツールであるフレームが含まれている。
【０１３０】
選択ボタン４２１−２には、「ペン」という文字が表示されており、選択ボタン４２１−２により、各種の色または書き味の自由な曲線を編集対象画像にフリーハンドで描く編集ツールが選択される。選択ボタン４２１−３には、「スタンプ」という文字が表示されており、選択ボタン４２１−３により、所定の図形や文字などからなるスタンプ画像を編集対象画像の任意の位置に合成する編集ツールが選択される。
【０１３１】
選択ボタン４２１−４には、「文字」という文字が表示されており、選択ボタン４２１−４により、各種の色または字体の文字を編集対象画像の任意の位置に合成する編集ツールが選択される。選択ボタン４２１−５には、「変身」という文字が表示されており、選択ボタン４２１−５により、帽子や眼鏡などの変身グッズを模した画像を編集対象画像の任意の位置に合成する編集ツールが選択される。
【０１３２】
また、図１３の例では、選択ボタン４２１−３が選択されていることを示す楕円形の選択マーク４２２が、選択ボタン４２１−３に重ねられて表示されている。
【０１３３】
コンテンツパレット４１７には、編集ツール選択ボタン表示部４１６において選択された編集ツールに分類される編集コンテンツが表示される。図１３の例では、選択ボタン４２１−３の選択に応じて、コンテンツパレット４１７には、スタンプの編集コンテンツを表示する編集コンテンツ表示部４２３−１、および、コロコロスタンプの編集コンテンツを表示する編集コンテンツ表示部４２３−２が設けられている。
【０１３４】
編集コンテンツ表示部４２３−１には、所定の図形や文字などからなるスタンプ画像を編集対象画像の任意の位置に合成する編集ツールであるスタンプの編集コンテンツを選択するための複数のボタンが表示されている。また、スタンプの編集コンテンツ表示部４２３−１の各ボタンには、それぞれのボタンにより選択される編集コンテンツに応じた図柄のスタンプ画像が表示されている。図１３の例では、スタンプの編集コンテンツ表示部４２３−１には、１８個（３行×６列）のボタンが表示されており、それぞれのボタンにより、各ボタンに表示されているハート形状や星形状などからなる図柄のスタンプ画像が選択される。また、スタンプの編集コンテンツ表示部４２３−１の左上端に表示されているボタンを囲うように、そのボタンが選択されていることを示す選択枠４２５が表示されている。
【０１３５】
編集コンテンツ表示部４２３−２には、所定の図形や文字などからなるスタンプ画像を編集対象画像の任意の位置に線状に連続的に並べて合成する編集ツールであるコロコロスタンプの編集コンテンツを選択するための複数のボタンが表示されている。また、コロコロスタンプの編集コンテンツ表示部４２３−２の各ボタンには、それぞれのボタンにより選択される編集コンテンツに応じた図柄のコロコロスタンプ画像が表示されている。図１３の例では、コロコロスタンプの編集コンテンツ表示部４２３−２には、５個のボタンが表示されており、それぞれのボタンにより、各ボタンに表示されているハート形状や星形状などがライン状に配置された図柄のコロコロスタンプ画像が選択される。
【０１３６】
また、コンテンツパレット４１７の上端部には、編集コンテンツ表示部４２３−１および４２３−２に表示される編集コンテンツの種類を選択するための６つのタブ４２６−１乃至４２６−６が表示されている。
【０１３７】
タブ４２６−１には、「大人手書き」という文字が表示されており、タブ４２６−１により、大人っぽい雰囲気となるようにフリーハンドでデザインされた図柄の編集コンテンツが選択される。タブ４２６−２には、「シンプル」という文字が表示されており、タブ４２６−２により、シンプルな形状をした雰囲気でデザインされた図柄の編集コンテンツが選択される。タブ４２６−３には、「モノクロ」という文字が表示されており、タブ４２６−３により、白および黒を基調とした雰囲気でデザインされた図柄の編集コンテンツが選択される。
【０１３８】
タブ４２６−４には、「ゆる手書き」という文字が表示されており、タブ４２６−４により、ゆるやかでふわふわした雰囲気となるようにフリーハンドでデザインされた図柄の編集コンテンツが選択される。タブ４２６−５には、「パスビビ」という文字が表示されており、タブ４２６−５により、ふんわりとした色味のパステル調、および、くっきりとした色合いのビビッド調の雰囲気でデザインされた図柄の編集コンテンツが選択される。タブ４２６−６には、「大人ポップ」という文字が表示されており、タブ４２６−６により、大人っぽい雰囲気でポップ調にデザインされた図柄の編集コンテンツが選択される。
【０１３９】
このようなタブ４２６−１乃至４２６−６の中から、利用者は任意の種類の編集コンテンツを選択することができる。これにより、編集コンテンツ表示部４２３−１および４２３−２の表示が、利用者の選択に応じた種類でデザインされたスタンプおよびコロコロスタンプの編集コンテンツに切り替えられる。
【０１４０】
また、コンテンツパレット４１７のタブ４２６−１乃至４２６−６の下方に、レイヤ指示ボタン４２７、回転指示ボタン４２８、およびサイズ指示ボタン４２９が表示されている。
【０１４１】
レイヤ指示ボタン４２７は、例えば、編集コンテンツ表示部４２３−１および４２３−２で選択された編集コンテンツを編集対象画像表示部４１１の編集対象画像に合成する際に、その編集コンテンツを、既に合成済みの文字の上または下のどちらのレイヤに配置するかを指示するボタンである。回転指示ボタン４２８は、編集コンテンツ表示部４２３−１および４２３−２で選択された編集コンテンツを回転させて編集対象画像表示部４１１の編集対象画像に合成する際に、その編集コンテンツの回転角度を指示するボタンである。サイズ指示ボタン４２９は、編集コンテンツ表示部４２３−１および４２３−２で選択された編集コンテンツを編集対象画像表示部４１１の編集対象画像に合成する際に、その編集コンテンツの大きさを指示するボタンである。
【０１４２】
写真シール作成装置１では、このような編集画面が編集処理においてタブレット内蔵モニタ１３１に表示され、利用者は、図１２の編集対象画像表示部４１１に表示されている編集対象画像に対して編集入力を行う。
【０１４３】
例えば、利用者は、編集ツール選択ボタン表示部４１６の選択ボタン４２１−１乃至４２１−５により編集ツール（ペンやスタンプなどの機能に基づく種別）を選択し、コンテンツパレット４１７のタブ４２６−１乃至４２６−６により編集コンテンツの種類（大人手書きやシンプルなどの種類に基づく種別）を選択する。その後、コンテンツパレット４１７の編集コンテンツ表示部４２３に表示されるボタンを選択して、選択した編集コンテンツを編集対象画像表示部４１１の編集対象画像に合成するような編集を行う。
【０１４４】
ところで、編集コンテンツ表示部４１３では、タブ４２６−１乃至４２６−６により選択されるそれぞれの種類に、同一のカテゴリ（例えば、ハート形状や星形状などの形状に基づく種別）に属する編集コンテンツが用意されている。例えば、図１２に示すように、「大人手書き」の種類が選択されているコンテンツパレット４１７Ｌには、「大人手書き」のテイストで描かれたハート形状のスタンプの編集コンテンツが表示されているとともに、「シンプル」の種類が選択されているコンテンツパレット４１７Ｒには、「シンプル」のテイストで描かれたハート形状のスタンプの編集コンテンツが表示されている。
【０１４５】
従って、利用者が、様々なテイストで描かれたハート形状を使用して、ハート形状で統一感のある画像となるように編集を行いたい場合には、タブ４２６−１乃至４２６−６を適宜選択して、それぞれの種類に分類されているハート形状の編集コンテンツを探し出して選択する必要がある。このように、各種類に基づく分類から同じカテゴリの編集コンテンツを探し出して、統一感のある画像となるような画像を得るためには、編集に時間がかかると想定される。
【０１４６】
そこで、写真シール作成装置１は、カテゴリ一覧ボタン４１８の操作入力に従って、同一のカテゴリに属する編集コンテンツをコンテンツパレット４１７に一覧表示する機能を備えている。
【０１４７】
例えば、図１４は、カテゴリ一覧ボタン４１８を操作したときに、タブレット内蔵モニタ１３１の編集画面にポップアップ表示されるカテゴリ選択画面４３１の例を示す図である。
【０１４８】
カテゴリ選択画面４３１の上辺には、カテゴリの一覧が表示されていることを示唆する「カテゴリ一覧メニュー」という文字が表示されており、その下方に、カテゴリを選択することができる画面であることを示唆する「使いたいカテゴリを選んでね！／選んだカテゴリの編集コンテンツのタブにジャンプするよ！」という文字が表示されている。
【０１４９】
カテゴリ選択画面４３１の中央には、利用者が選択することができるカテゴリに応じた複数のアイコンが表示される。図１４の例では、４つのアイコン４３２−１乃至４３２−４が表示されている。
【０１５０】
アイコン４３２−１には、「ハート」の文字とともに、ハート形状のカテゴリに分類されるスタンプ画像が表示されている。アイコン４３２−２には、「スター」の文字とともに、星形状のカテゴリに分類されるスタンプ画像が表示されている。アイコン４３２−３には、「文字入り」の文字とともに、文字の入った様々な形状のカテゴリに分類されるスタンプ画像が表示されている。アイコン４３２−４には、「その他」の文字とともに、ハート、スター、および文字入り以外のカテゴリに分類されるスタンプ画像が表示されている。
【０１５１】
また、カテゴリ選択画面４３１の右下端には、「とじる」という文字が表示された閉じるボタン４３３が表示されており、閉じるボタン４３３に対する操作により、タブレット内蔵モニタ１３１には、カテゴリ選択画面４３１が表示される前の画面、例えば、図１２の編集画面が表示される。
【０１５２】
なお、図１４の例では、利用者によりアイコン４３２−１が選択されている状態のカテゴリ選択画面４３１が表示されており、そのことを示唆する「Select!!」という文字がアイコン４３２−１に重ねて表示されている。そして、アイコン４３２−１が選択されるのに従って、編集画面の編集コンテンツ表示部４１３には、ハート形状のカテゴリに属する編集コンテンツが一覧表示される。
【０１５３】
例えば、図１５には、図１４のカテゴリ選択画面４３１においてアイコン４３２−１が選択されたときに、編集画面の編集コンテンツ表示部４１３に表示されるコンテンツパレット４１７の第１の表示例が示されている。
【０１５４】
コンテンツパレット４１７Ａの上辺には、コンテンツパレット４１７Ａにスタンプの編集コンテンツが表示されていることを示唆する「STAMP MENU」という文字が表示されており、その下方には、図１３と同様に、レイヤ指示ボタン４２７、回転指示ボタン４２８、およびサイズ指示ボタン４２９が表示されている。
【０１５５】
そして、コンテンツパレット４１７Ａの中央から下側には、スタンプの編集コンテンツ表示部４２３が設けられている。スタンプの編集コンテンツ表示部４２３には、図１３のタブ４２６−１乃至４２６−６による種類では異なって分類されるハート形状のカテゴリに属するスタンプの編集コンテンツが、まとめられて一覧で表示されている。
【０１５６】
ここで、コンテンツパレット４１７Ａでは、カテゴリ一覧ボタン４１８が操作されたときに選択されていた編集ツールに従った編集コンテンツが集約されて表示される。即ち、図１２に示したように、編集ツール選択ボタン表示部４１６において「スタンプ」の選択ボタンが選択されているときに、カテゴリ一覧ボタン４１８が操作された場合、コンテンツパレット４１７Ａの編集コンテンツ表示部４２３には、カテゴリ選択画面４３１で選択されたカテゴリに属するスタンプの編集コンテンツのボタンが集約されて表示される。
【０１５７】
また、コンテンツパレット４１７Ａの右上端には、「とじる」という文字が表示された閉じるボタン４３３が表示されており、閉じるボタン４３３に対する操作により、編集コンテンツ表示部４１３は、カテゴリ一覧ボタン４１８が操作される前の表示、例えば、図１３に示したような表示に戻る。
【０１５８】
このように、写真シール作成装置１では、カテゴリ一覧ボタン４１８が操作されたとき、編集ツール選択ボタン表示部４１６で選択されていた編集ツールに分類され、同一のカテゴリに属する編集コンテンツがコンテンツパレット４１７Ａに一覧表示されることにより、使用したい編集ツールおよびカテゴリを決めている利用者に対して、無駄な動きをさせずに編集させることができる。従って、利用者は、同一のカテゴリにより統一感のある編集を制限時間内に行うことができる。
【０１５９】
［編集処理および印刷前設定処理の例］
次に、図１６のフローチャートを参照して、上述した写真シール作成ゲームの一連の処
理におけるステップＳ５の編集処理および印刷前設定処理の流れの例を説明する。
【０１６０】
編集処理および印刷前設定処理が開始されると、ステップＳ３１において、編集準備処理部３１２は、撮影部２０８によって得られた撮影画像を記憶部２０２から取得し、タブレット内蔵モニタ１３１に表示させることで、撮影画像の中から、例えば６枚の編集対象画像を利用者に選択させ、保存する。
【０１６１】
ステップＳ３２において、合成用画像選択制御部３１３は、予め用意されている、撮影画像に合成される前景や背景の画像である合成用画像の色味群を選択させるための合成用画像選択画面（GUI）を、タブレット内蔵モニタ１３１に表示する。合成用画像の色味群は、合成用画像の色味（色の感じ）による分類を表し、例えば、ふんわりした色味による分類を表す色味群「パステル」や、くっきりした色味による分類を表す色味群「ビビッド」等がある。
【０１６２】
ステップＳ３３において、合成画像処理部３１４は、撮影画像の画像処理を行う。撮影画像の画像処理は、編集対象画像として選択された撮影画像に合成する、ステップＳ３２において選択された色味群の合成用画像を利用者に選択させ、選択された合成用画像を撮影画像に合成する処理である。このとき、利用者は、自身が被写体として写された撮影画像に画像処理が施された撮影合成画像を確認しながら、合成用画像を選択することができる。
【０１６３】
その後、タブレット内蔵モニタ１３１に編集開始ボタンのGUI画像が表示され、利用者によって、タッチペン１３２が操作されて、その編集開始ボタンが押下操作されると、ステップＳ３４において、編集画面表示制御部３１６は、タブレット内蔵モニタ１３１に、撮影画像に合成用画像が合成された合成画像に対する落書き編集を利用者に入力させるGUI画面である編集画面（図１２）を表示させる。そして、入力受付制御部３１５は、タブレット内蔵モニタ１３１やタッチペン１３２を制御し、利用者による編集画面に対する落書き編集入力の受け付けを開始する。
【０１６４】
ステップＳ３５において、入力受付制御部３１５は、利用者のタッチペン１３２の操作によりタブレット内蔵モニタ１３１により供給される入力信号に応じて、カテゴリ一覧ボタン４１８が操作されたか否かを判定する。
【０１６５】
ステップＳ３５において、入力受付制御部３１５が、カテゴリ一覧ボタン４１８が操作されたと判定した場合、ステップＳ３６において、編集画面表示制御部３１６は、図１４のカテゴリ選択画面４３１をタブレット内蔵モニタ１３１に表示する。そして、カテゴリ選択画面４３１に表示されているアイコン４３２−１乃至４３２−４により、編集コンテンツのカテゴリを利用者に選択させる。
【０１６６】
利用者が、タッチペン１３２の操作によりタブレット内蔵モニタ１３１に表示されるアイコン４３２−１乃至４３２−４のいずれかをタッチすると、ステップＳ３７において、編集コンテンツ表示制御部３１８は、利用者に選択されたカテゴリに属する編集コンテンツを集約したコンテンツパレット４１７Ａ（図１５）を編集コンテンツ表示部４１３に表示する。即ち、編集コンテンツ表示制御部３１８は、種類では異なって分類される編集コンテンツから、選択されたカテゴリに属する編集コンテンツを集約し、その選択されたカテゴリに属する編集コンテンツのボタンを一覧表示する。
【０１６７】
ステップＳ３７の処理後、または、ステップＳ３５でカテゴリ一覧ボタン４１８が操作されていないと判定された場合、ステップＳ３８において、落書き編集処理部３１７は、編集対象画像に対する落書き編集を行う。つまり、落書き編集処理部３１７は、利用者のタッチペン１３２の操作によりタブレット内蔵モニタ１３１により供給される入力信号に応じて、例えば、手書きの線画やスタンプ画像などを合成する落書き編集を行う。
【０１６８】
ステップＳ３９において、進行制御部３１１は、所定の時間（制限時間）が経過したか、または、終了ボタンが操作されたか否かを判定する。制限時間にも達しておらず、終了ボタンも操作されていないと判定した場合、進行制御部３１１は、処理をステップＳ３５に戻し、それ以降の処理を繰り返す。つまり、進行制御部３１１は、所定の時間が経過した、または、利用者によりボタン表示部４１４の終了ボタンが操作されたと判定されるまで、ステップＳ３５乃至Ｓ３９の処理を繰り返し、落書き編集入力に対する処理を行う。そして、ステップＳ３９において、所定の時間が経過した、または、終了ボタンが操作されたと判定した場合、進行制御部３１１は、処理をステップＳ４０に進める。
【０１６９】
ステップＳ４０において、進行制御部３１１は、編集画面の表示を終了し、分割パターン選択制御部３１９は、分割パターンを選択する処理を行う。分割パターンを選択する処理では、例えば、分割パターン選択制御部３１９は、タブレット内蔵モニタ１３１に、シールレイアウトを決定する写真シールの分割パターンや分割数などを選択させる分割パターン選択画面を表示させ、利用者に分割パターンを選択させる。
【０１７０】
ステップＳ４１において、進行制御部３１１は、所定の時間（制限時間）が経過したか、または、終了ボタンが操作されたか否かを判定する。制限時間にも達しておらず、終了ボタンも操作されていないと判定した場合、進行制御部３１１は、処理をステップＳ４０に戻し、それ以降の処理を繰り返す。つまり、進行制御部３１１は、所定の時間が経過した、または、終了ボタンが操作されたと判定されるまで、ステップＳ４０およびＳ４１の処理を繰り返し、分割パターンを選択させる処理を行う。そして、ステップＳ４１において、所定の時間が経過した、または、終了ボタンが操作されたと判定した場合、進行制御部３１１は、処理をステップＳ４２に進める。
【０１７１】
ステップＳ４２において、進行制御部３１１は、画面の表示を終了し、編集入力の受け付けを終了し、これにより編集処理および印刷前設定処理は終了され、処理は、図１１のステップＳ５に戻る。
【０１７２】
以上のように、写真シール作成装置１では、カテゴリ一覧ボタン４１８に対する操作入力を受け付けた場合、カテゴリ選択画面４３１を表示して利用者に編集コンテンツのカテゴリを選択させる。そして、写真シール作成装置１では利用者が選択したカテゴリに属する編集コンテンツであって、編集ツール選択ボタン表示部４１６で選択していた編集ツールに分類される編集コンテンツがコンテンツパレット４１７に一覧表示される。
【０１７３】
従って、利用者は、使用したい編集ツールおよびカテゴリが決定している場合、カテゴリ一覧ボタン４１８を操作してカテゴリを選択するだけで、所望のカテゴリに属する編集コンテンツによる統一感のある画像となるように制限時間内で落書き編集することができる。これにより、写真シール作成装置１は、利用者の満足度が高い画像が印刷されたシール紙を提供することができ、従来より利用者の満足度を向上させることができる。
【０１７４】
なお、以上においては、編集処理および印刷前設定処理における編集対象画像の選択および保存から撮影画像の画像処理（図１６のステップＳ３１乃至Ｓ３３の処理）は、編集空間で行われるものとしたが、撮影空間で行われるようにしてもよい。この場合、これらの処理は、図１１のフローチャートのステップＳ３において、撮影処理部３０２によって実行されるようになる。
【０１７５】
また、上述のフローチャートでは、ステップＳ４０において、分割パターンおよび印刷画像を選択させているが、例えば、撮影画像の画像処理（ステップＳ３３）の後に分割パターンを選択させ、それから編集処理を行った後に、印刷画像を選択させるようにしてもよい。
【０１７６】
なお、図１５に示したコンテンツパレット４１７Ａのように、カテゴリ一覧ボタン４１８を操作した後に、カテゴリ選択画面４３１により編集コンテンツのカテゴリを選択することで、その選択されたカテゴリの編集コンテンツが表示されるようにする他、例えば、コンテンツパレット４１７にカテゴリを選択するためのタブを表示してもよい。
【０１７７】
次に、図１７には、カテゴリ一覧ボタン４１８が操作されたときに編集コンテンツ表示部４１３に表示されるコンテンツパレット４１７の第２の表示例が示されている。
【０１７８】
図１７に示すように、コンテンツパレット４１７Ｂは、スタンプの編集コンテンツ表示部４２３、レイヤ指示ボタン４２７、回転指示ボタン４２８、およびサイズ指示ボタン４２９が設けられる点で、図１５のコンテンツパレット４１７Ａと共通しており、その詳細な説明は省略する。但し、コンテンツパレット４１７Ｂでは、タブ４４１−１乃至４４１−４が上辺に表示される点で、図１５のコンテンツパレット４１７Ａと異なっている。
【０１７９】
タブ４４１−１乃至４４１−４により、スタンプの編集コンテンツ表示部４２３に表示される編集コンテンツのカテゴリが切り替えられて表示される。図１７の例では、タブ４４１−１には、「ハート」という文字が表示されており、タブ４４１−１により、ハート形状のカテゴリに属するスタンプの編集コンテンツが、編集コンテンツ表示部４２３に表示される。
【０１８０】
また、タブ４４１−２には、「スター」という文字が表示されており、タブ４４１−２により、星形状のカテゴリに属するスタンプの編集コンテンツが編集コンテンツ表示部４２３に表示される。タブ４４１−３には、「文字入り」という文字が表示されており、タブ４４１−３により、文字の入った様々な形状のカテゴリに属するスタンプの編集コンテンツが編集コンテンツ表示部４２３に表示される。タブ４４１−４には、「その他」という文字が表示されており、タブ４４１−４により、ハート、スター、および文字入り以外のカテゴリに属するスタンプの編集コンテンツが編集コンテンツ表示部４２３に表示される。
【０１８１】
図１７の例では、ハッチングが施されているタブ４４１−１が選択された状態が示されており、スタンプの編集コンテンツ表示部４２３には、ハート形状のカテゴリに属するスタンプの編集コンテンツが表示されている。また、図１２に示すように、編集ツール選択ボタン表示部４１６において「スタンプ」の選択ボタンが選択されているときに、カテゴリ一覧ボタン４１８が操作されると、スタンプに分類される編集コンテンツが編集コンテンツ表示部４２３に表示されている。
【０１８２】
そして、利用者は、タブ４４１−１乃至４４１−４により、編集コンテンツ表示部４２３に表示される編集コンテンツのカテゴリを切り替えることができる。
【０１８３】
このように、写真シール作成装置１においては、図１２のカテゴリ一覧ボタン４１８が操作されると、編集コンテンツ表示制御部３１８は、タブ４４１−１乃至４４１−４により分類されたカテゴリごとに、編集ツール選択ボタン表示部４１６において選択されていた編集ツールの編集コンテンツを集約してコンテンツパレット４１７Ｂに表示する。そして、利用者により、タブ４４１−１乃至４４１−４が操作されると、その操作に従って、編集コンテンツ表示制御部３１８は、コンテンツパレット４１７Ｂの編集コンテンツ表示部４２３に表示される編集コンテンツのカテゴリを切り替える。
【０１８４】
これにより、写真シール作成装置１では、例えば、使用したい編集ツールが決定しており、カテゴリを統一させて編集したいが、どのカテゴリにするのかが未定である利用者に対して、タブ４４１−１乃至４４１−４を切り替えることで、カテゴリごとの編集コンテンツの内容を確認して使用させることができる。
【０１８５】
なお、図１５のコンテンツパレット４１７Ａでは、編集ツール選択ボタン表示部４１６において選択された編集ツールに分類される編集コンテンツが表示されるが、例えば、カテゴリ選択画面４３１（図１４）において、コンテンツパレット４１７に表示する編集コンテンツのカテゴリを選択するとともに、編集ツールを選択することができるようにしてもよい。
【０１８６】
次に、図１８には、カテゴリ一覧ボタン４１８を操作したときに、タブレット内蔵モニタ１３１の編集画面にポップアップ表示されるカテゴリ選択画面の変形例が示されている。
【０１８７】
図１８に示すように、カテゴリ選択画面４３１’には、アイコン４３２−１乃至４３２−４および閉じるボタン４３３が表示される点で、図１４のカテゴリ選択画面４３１と共通しており、その詳細な説明は省略する。但し、カテゴリ選択画面４３１’では、アイコン４３２−１乃至４３２−４の下方に、編集ツールを選択するための選択ボタン４３４−１乃至４３４−４が表示される点で、図１４のカテゴリ選択画面４３１と異なっている。
【０１８８】
選択ボタン４３４−１には、「スタンプ」の文字が表示されており、選択ボタン４３４−１により、スタンプ画像を合成する編集ツールが選択される。選択ボタン４３４−２には、「コロコロスタンプ」の文字が表示されており、選択ボタン４３４−２により、コロコロスタンプ画像を合成する編集ツールが選択される。
【０１８９】
選択ボタン４３４−３には、「ヴェール」の文字が表示されており、選択ボタン４３４−３により、被写体の背景または前景として所定の図形が散りばめられたヴェール画像を合成する編集ツールが選択される。選択ボタン４３４−４には、「フレーム」の文字が表示されており、選択ボタン４３４−４により、所定の図形や文字などが四隅に配置されたフレーム画像を合成する編集ツールが選択される。
【０１９０】
カテゴリ選択画面４３１’により、編集コンテンツのカテゴリおよび編集ツールを選択すると、その選択に従ったコンテンツパレット４１７が表示される。例えば、図１８の例では、アイコン４３２−１および選択ボタン４３４−１が選択された状態が示されており、カテゴリとしてハートが選択され、編集ツールとしてスタンプが選択されたコンテンツパレット４１７が表示される。
【０１９１】
このように、写真シール作成装置１においては、図１２のカテゴリ一覧ボタン４１８が操作されると、編集画面表示制御部３１６は、カテゴリ選択画面４３１’を表示して、入力受付制御部３１５は、アイコン４３２−１乃至４３２−４に対する操作に応じてカテゴリの選択を受け付けるのとともに、選択ボタン４３４−１乃至４３４−４に対する操作に応じて編集ツールの選択を受け付ける。そして、編集コンテンツ表示制御部３１８は、利用者による選択に従った編集ツールに分類され、かつ、利用者による選択に従ったカテゴリに属する編集コンテンツをコンテンツパレット４１７に表示する。
【０１９２】
これにより、写真シール作成装置１では、例えば、利用したいカテゴリが決定しており、編集ツール選択ボタン表示部４１６で選択していた編集ツール以外の編集ツールを使用したい利用者に対して、編集を容易に行わせることができる。
【０１９３】
次に、図１９は、編集コンテンツ表示部４１３に表示されるコンテンツパレットの第３の表示例が示されている。
【０１９４】
図１９に示すように、コンテンツパレット４１７Ｃは、レイヤ指示ボタン４２７、回転指示ボタン４２８、サイズ指示ボタン４２９、およびタブ４４１−１乃至４４１−４が設けられる点で、図１７のコンテンツパレット４１７Ｂと共通しており、その詳細な説明は省略する。但し、コンテンツパレット４１７Ｃでは、コンテンツパレット４１７Ｂにおいてスタンプの編集コンテンツ表示部４２３が表示されていた領域に、４つの編集コンテンツ表示部４２３−１乃至４２３−４が表示される点で、コンテンツパレット４１７Ｂと異なっている。
【０１９５】
例えば、編集コンテンツ表示部４２３−１には、スタンプの編集コンテンツを選択するための複数のボタンが表示され、編集コンテンツ表示部４２３−２には、コロコロスタンプの編集コンテンツを選択するための複数のボタンが表示される。
【０１９６】
また、編集コンテンツ表示部４２３−３には、ヴェール画像を合成する編集ツールであるヴェールの編集コンテンツを選択するための複数のボタンが表示されている。編集コンテンツ表示部４２３−４には、フレーム画像を合成する編集ツールであるフレームの編集コンテンツを選択するための複数のボタンが表示されている。編集コンテンツ表示部４２３−３および４２３−４の各ボタンには、それぞれのボタンにより選択される編集コンテンツに応じた図柄のヴェール画像およびフレーム画像がそれぞれ表示されている。
【０１９７】
このように、コンテンツパレット４１７Ｃでは、タブ４４１−１乃至４４１−４により切り替えられるカテゴリに属する編集コンテンツが、コンテンツパレット４１７Ｃ内の編集コンテンツ表示部４２３−１乃至４２３−４により編集ツールごとに区分けされて一覧で表示される。
【０１９８】
写真シール作成装置１においては、例えば、図１２のカテゴリ一覧ボタン４１８が操作されると、編集コンテンツ表示制御部３１８は、タブ４４１−１乃至４４１−４によりカテゴリごとに区分けして、同一のカテゴリ（例えば、ハート）に分類され、それぞれ異なる編集ツール（スタンプ、コロコロスタンプ、ヴェール、およびフレーム）に属する編集コンテンツが一覧にして集約されたコンテンツパレット４１７Ｃを表示する。
【０１９９】
これにより、写真シール作成装置１では、カテゴリを統一させて編集したいが、どのカテゴリおよび編集ツールにするかが未定である利用者に対して、カテゴリおよび編集ツールの内容を確認させながら編集を行わせることができる。
【０２００】
次に、図２０は、コンテンツパレット４１７Ｃの変形例が示されている。
【０２０１】
図２０に示すように、コンテンツパレット４１７Ｃ’には、コンテンツパレット４１７Ｃと同様に、レイヤ指示ボタン４２７、回転指示ボタン４２８、サイズ指示ボタン４２９、および編集コンテンツ表示部４２３−１乃至４２３−４が表示されている。即ち、コンテンツパレット４１７Ｃ’は、コンテンツパレット４１７Ｃのタブ４４１−１乃至４４１−４を含まずに構成されている。
【０２０２】
例えば、図１２のカテゴリ一覧ボタン４１８が操作されると、図１４のカテゴリ選択画面４３１において、コンテンツパレット４１７Ｃ’に表示する編集コンテンツのカテゴリを選択させた後、選択されたカテゴリに属する編集コンテンツであって、それぞれ異なる編集ツールに属する編集コンテンツが一覧に集約されたコンテンツパレット４１７Ｃ’が表示される。
【０２０３】
これにより、写真シール作成装置１では、使用したいカテゴリは決定しているが、使用したい編集ツールが未決定である利用者に対して、容易に編集を行わせることができる。
【０２０４】
次に、図２１は、タブレット内蔵モニタ１３１の編集画面にポップアップ表示される編集コンテンツ集約画面４５１の表示例を示す図である。
【０２０５】
図２１に示されている編集コンテンツ集約画面４５１は、例えば、図１２のカテゴリ一覧ボタン４１８が操作され、図１４のカテゴリ選択画面４３１が表示されてアイコン４３２−１が選択されたときに表示される画面の例である。
【０２０６】
編集コンテンツ集約画面４５１の上辺には、ハート形状の編集コンテンツが集約されて表示されていることを示唆する「ハートの編集コンテンツだよ！」という文字が表示されている。また、編集コンテンツ集約画面４５１では、図１５のコンテンツパレット４１７と同様に、レイヤ指示ボタン４２７、回転指示ボタン４２８、サイズ指示ボタン４２９、および閉じるボタン４３３が表示されている。
【０２０７】
また、編集コンテンツ集約画面４５１では、例えば、図１９のコンテンツパレット４１７Ｃと同様に、編集コンテンツ表示部４２３−１乃至４２３−４が設けられているが、編集コンテンツ集約画面４５１は編集画面にポップアップ表示されるため、編集コンテンツ集約画面４５１の編集コンテンツ表示部４２３−１乃至４２３−４は、コンテンツパレット４１７Ｃの編集コンテンツ表示部４２３−１乃至４２３−４よりも大面積で表示される。
【０２０８】
これにより、編集コンテンツ集約画面４５１では、編集コンテンツ表示部４２３−１乃至４２３−４それぞれに表示される編集コンテンツのボタンの個数を、コンテンツパレット４１７Ｃよりも多くすることができる。例えば、編集コンテンツ集約画面４５１の表示面積は、写真シール作成装置１に用意されている全ての編集コンテンツのボタンを表示することができるような大きさとされる。
【０２０９】
例えば、写真シール作成装置１においては、図１２のカテゴリ一覧ボタン４１８が操作されると、編集画面表示制御部３１６は、図１４のカテゴリ選択画面４３１を表示する。そして、利用者により編集コンテンツのカテゴリが選択されると、編集コンテンツ表示制御部３１８は、その選択されたカテゴリに属し、それぞれの異なる編集ツールに分類される編集コンテンツを全て集約した編集コンテンツ集約画面４５１を、タブレット内蔵モニタ１３１の編集画面にポップアップ表示する。
【０２１０】
そして、利用者が、編集コンテンツを選択すると、編集画面表示制御部３１６は、編集コンテンツ集約画面４５１が表示される前の画面（例えば、図１２の編集画面）に表示を戻し、これにより、その選択された編集コンテンツによる編集が行われる。なお、利用者が、閉じるボタン４３３に対する操作を行うと、編集画面表示制御部３１６は、編集コンテンツ集約画面４５１を非表示とする。
【０２１１】
このように、写真シール作成装置１では、編集コンテンツが多数である場合に、コンテンツパレット４１７Ｃ（図１９）およびコンテンツパレット４１７Ｃ’（図２０）と比較して、多数の（例えば、全ての）編集コンテンツを一覧表示することができる。従って、利用者は、数多の編集コンテンツの中から、所望の編集コンテンツを選択して編集を行うことができる。
【０２１２】
次に、図２２は、編集コンテンツ表示部４１３に表示されるコンテンツパレット４１７の第４の表示例が示されている。
【０２１３】
図２２に示すように、コンテンツパレット４１７Ｄは、編集コンテンツ表示部４２３、レイヤ指示ボタン４２７、回転指示ボタン４２８、サイズ指示ボタン４２９、および閉じるボタン４３３が設けられる点で、図１５のコンテンツパレット４１７Ａと共通しており、その詳細な説明は省略する。但し、コンテンツパレット４１７Ｄでは、タブ４６１−１乃至４６１−４が上辺に表示される点で、図１５のコンテンツパレット４１７Ａと異なっている。
【０２１４】
タブ４６１−１乃至４６１−４により、編集コンテンツ表示部４２３に表示される編集コンテンツが属する編集ツールが切り替えられる。図２２の例では、タブ４６１−１には、「スタンプ」という文字が表示されており、タブ４６１−１により、スタンプの編集コンテンツを選択するための複数のボタンが編集コンテンツ表示部４２３に表示される。
【０２１５】
また、タブ４６１−２には、「コロコロスタンプ」という文字が表示されており、タブ４６１−２により、コロコロスタンプの編集コンテンツを選択するための複数のボタンが編集コンテンツ表示部４２３に表示される。タブ４６１−３には、「ヴェール」という文字が表示されており、タブ４６１−３により、ヴェールの編集コンテンツを選択するための複数のボタンが編集コンテンツ表示部４２３に表示される。タブ４６１−４には、「フレーム」という文字が表示されており、タブ４６１−４により、フレームの編集コンテンツを選択するための複数のボタンが編集コンテンツ表示部４２３に表示される。
【０２１６】
例えば、写真シール作成装置１においては、図１２のカテゴリ一覧ボタン４１８が操作されると、編集画面表示制御部３１６は、図１４のカテゴリ選択画面４３１を表示する。そして、利用者により編集コンテンツのカテゴリが選択されると、編集コンテンツ表示制御部３１８は、その選択されたカテゴリに属する編集コンテンツを、タブ４６１−１乃至４６１−４により分類される編集ツールごとに区分けしたコンテンツパレット４１７Ｄを表示する。例えば、図２２の例では、カテゴリ選択画面４３１においてハート形状のカテゴリが選択され、タブ４６１−１が選択された状態のカテゴリ選択画面４３１Ｄが示されている。
【０２１７】
これにより、写真シール作成装置１では、例えば、使用したい編集ツールが決定している利用者に対して、使用したい編集ツールに対応するタブ４６１−１乃至４６１−４のいずれかを選択させると、その編集ツールの編集コンテンツのみが表示される。従って、利用者に操作させやすく、使用したい編集ツールが未決定の利用者に対して、タブ４６１−１乃至４６１−４を切り替えることで、編集ツールごとの編集コンテンツの内容を確認して使用させることができる。
【０２１８】
次に、図２３は、タブレット内蔵モニタ１３１の編集画面にポップアップ表示される編集コンテンツ集約画面４５１の変形例を示す図である。
【０２１９】
図２３に示されている編集コンテンツ集約画面４５１’は、例えば、図１２のカテゴリ一覧ボタン４１８が操作され、図１４のカテゴリ選択画面４３１が表示されてアイコン４３２−１が選択されたときに表示される画面の例である。
【０２２０】
図２３に示すように、編集コンテンツ集約画面４５１’は、レイヤ指示ボタン４２７、回転指示ボタン４２８、サイズ指示ボタン４２９、および閉じるボタン４３３が設けられる点で、図２１の編集コンテンツ集約画面４５１と共通しており、その詳細な説明は省略する。但し、編集コンテンツ集約画面４５１’では、選択ボタン４７１−１乃至４７１−４が表示されるとともに、編集コンテンツ表示部４２３だけが表示される点で、図２１の編集コンテンツ集約画面４５１と異なっている。
【０２２１】
選択ボタン４７１−１乃至４７１−４は、編集コンテンツ集約画面４５１’に表示される編集コンテンツが分類される編集ツールを切り替える際に選択される。図２３の例では、選択ボタン４７１−１が選択されて、複数のスタンプの編集コンテンツを選択するための複数のボタンが編集コンテンツ表示部４２３に表示された状態が示されている。
【０２２２】
また、選択ボタン４７１−２乃至４７１−４が選択されることにより、コロコロスタンプ画像、ヴェール画像、またはフレーム画像それぞれを合成する編集ツールの編集コンテンツを選択するための複数のボタンが編集コンテンツ表示部４２３に表示される。
【０２２３】
例えば、写真シール作成装置１においては、図１２のカテゴリ一覧ボタン４１８が操作されると、編集画面表示制御部３１６は、図１４のカテゴリ選択画面４３１を表示する。そして、利用者により編集コンテンツのカテゴリが選択されると、編集コンテンツ表示制御部３１８は、その選択されたカテゴリに属する編集コンテンツが、選択ボタン４７１−１乃至４７１−４による区分けごとに切り替え可能な編集コンテンツ集約画面４５１’を、タブレット内蔵モニタ１３１の編集画面にポップアップ表示する。
【０２２４】
そして、利用者が、選択ボタン４７１−１乃至４７１−４により編集ツールを切り替え、編集コンテンツ表示部４２３に表示される編集コンテンツを選択すると、編集画面表示制御部３１６は、編集コンテンツ集約画面４５１'が表示される前の画面（例えば、図１２の編集画面）に表示を戻し、これにより、その選択された編集コンテンツによる編集が行われる。なお、利用者が、閉じるボタン４３３に対する操作を行うと、編集画面表示制御部３１６は、編集コンテンツ集約画面４５１を非表示とする。
【０２２５】
このように、写真シール作成装置１では、編集コンテンツが多数である場合に、コンテンツパレット４１７Ｄ（図２２）と比較して、多数の編集コンテンツを一覧表示することができる。従って、利用者は、数多の（例えば、全ての）編集コンテンツの中から、所望の編集コンテンツを選択して編集を行うことができる。
【０２２６】
なお、編集コンテンツ集約画面４５１’において、編集ツールを切り替えるためのＧＵＩとして、選択ボタン４７１−１乃至４７１−４ではなく、タブを利用してもよい。
【０２２７】
また、利用者が、例えば、図１２の編集コンテンツ表示部４１３においてハート形状のスタンプを選択して編集を行っているときに、カテゴリ一覧ボタン４１８に対する操作を行った場合、ハート形状のカテゴリに属する編集コンテンツが集約され、それぞれ機能の異なる編集ツール（スタンプ、コロコロスタンプ、ヴェール、およびフレーム）ごとに切り替えて表示可能な図２２のコンテンツパレット４１７Ｄや図２３の編集コンテンツ集約画面４５１'が表示されるようにしてもよい。これにより、利用したいカテゴリが決定していて、どの編集ツールを利用するのか未定の利用者に対して、容易に同一カテゴリで編集を行わせることができる。
【０２２８】
また、カテゴリ一覧ボタン４１８は、コンテンツパレット４１７上に表示することができ、例えば、編集ツール選択ボタン表示部４１６において編集ツールが選択された後に、その編集ツールに応じてカテゴリ一覧ボタン４１８が表示されるようにしてもよい。例えば、編集ツール選択ボタン表示部４１６において編集ツールとしてペンが選択された場合には、フリーハンドで編集する編集ツールであることから、カテゴリ一覧ボタン４１８が表示されないようにすることができる。
【０２２９】
以上のように、写真シール作成装置１では、コンテンツパレット４１７に同一のカテゴリに属する編集コンテンツを一覧で表示することができるので、利用者は、異なる種類に分類される編集コンテンツから所望のカテゴリに属する編集コンテンツを容易に探し出すことができる。従って、写真シール作成装置１は、制限時間の中で利用者が満足することができる編集操作を提供することができる。
【０２３０】
なお、例えば、大分類としてテイスト（例えば、ポップで元気な雰囲気のテイストや、ネオン管のような雰囲気のテイストなど）ごとに区分けし、その大分類ごとに中分類（タブ）により編集ツールごとに区分けして、その中分類ごとに様々な種類の編集コンテンツを用意する写真シール作成装置により、多種多様な編集コンテンツを用いて、自由度を保ちながらテイストの統一感のある編集を行うことができると想定される。しかしながら、このような写真シール作成装置では、テイストを変更するたびに、編集ツールの選択を繰り返す必要があり、写真シール作成装置１の方が、より確実に、制限時間の中で利用者が満足することができる編集操作を提供することができる。
【０２３１】
また、例えば、大分類として編集ツールごとに区分けし、その大分類ごとに、中分類（タブ）として、その種類によってテイスト（例えば、ネオン管のような雰囲気のテイストや、ショッキングな色合いのテイストなど）ごとに区分けし、その中分類ごとに、小分類として様々な種類の編集コンテンツを備え、現在選択されている編集ツール（大分類）以外の同一のテイスト（中分類）のコンテンツパレットに切り替えるための操作指示ボタンを、現在選択されている編集ツールのコンテンツパレット上に表示する写真シール作成装置によっても、多種多様な編集コンテンツを用いて、自由度を保ちながらテイストの統一感のある編集を行うことができると想定される。しかしながら、このような写真シール作成装置においても、編集ツールを変更するたびに、テイストの選択を繰り返す必要があり、写真シール作成装置１の方が、より確実に、制限時間の中で利用者が満足することができる編集操作を提供することができる。
【０２３２】
なお、本発明の実施の形態は、上述した実施の形態に限定されるものではなく、本発明の要旨を逸脱しない範囲において種々の変更が可能である。
【符号の説明】
【０２３３】
１  写真シール作成装置
１２  編集部
２０１  制御部
２０９  編集部
３０２  撮影処理部
３０３  編集処理部
３０４  印刷処理部
３０５  事後接客処理部
３１５  入力受付制御部
３１６  編集画面表示制御部
３１８  編集コンテンツ表示制御部
【図１】
0005429227.tif 000002
【図２】
0005429227.tif 000003
【図３】
0005429227.tif 000004
【図４】
0005429227.tif 000005
【図５】
0005429227.tif 000006
【図６】
0005429227.tif 000007
【図７】
0005429227.tif 000008
【図８】
0005429227.tif 000009
【図９】
0005429227.tif 000010
【図１０】
0005429227.tif 000011
【図１１】
0005429227.tif 000012
【図１２】
0005429227.tif 000013
【図１３】
0005429227.tif 000014
【図１４】
0005429227.tif 000015
【図１５】
0005429227.tif 000016
【図１６】
0005429227.tif 000017
【図１７】
0005429227.tif 000018
【図１８】
0005429227.tif 000019
【図１９】
0005429227.tif 000020
【図２０】
0005429227.tif 000021
【図２１】
0005429227.tif 000022
【図２２】
0005429227.tif 000023
【図２３】
0005429227.tif 000024